(57)【要約】【課題】スピットンの側方にうがい水の飛沫が飛散することを防止すると共に、スピットン鉢の洗浄水の飛沫が周囲に飛散することを防止できる歯科用スピットン及びスピットン鉢用飛沫飛散防止板を提供する。【解決手段】歯科用スピットン１は、歯科治療椅子の近傍に配置され、患者が口内洗浄後のうがい水を吐き出すスピットン鉢３を備え、スピットン鉢３は、患者とは反対側の側面に、スピットン鉢３の周縁上端よりも上方の空間を、スピットン鉢３の周縁の内外に区切る飛沫飛散防止板５を備える。また、飛沫飛散防止板５は、スピットン鉢３に対して磁石７，７を介して着脱可能に設けられる。さらにまた、飛沫飛散防止板５は、スピットン鉢３を上方から覆う形でスピットン鉢３の上部に載置可能な形状である。【選択図】図１
0003233593.tif 000002
【実用新案登録請求の範囲】
【請求項１】
歯科治療椅子の近傍に配置され、患者が口内洗浄後のうがい水を吐き出すスピットン鉢を備える歯科用スピットンであって、
前記スピットン鉢は、側面の所定位置に、前記スピットン鉢の周縁上端よりも上方の空間を、前記スピットン鉢の周縁の内外に区切る板状の飛沫飛散防止手段を備えることを特徴とする歯科用スピットン。
【請求項２】
前記飛沫飛散防止手段は、前記スピットン鉢に対して取付手段を介して着脱可能に設けられることを特徴とする請求項１に記載の歯科用スピットン。
【請求項３】
前記取付手段は、磁石であることを特徴とする請求項２に記載の歯科用スピットン。
【請求項４】
前記飛沫飛散防止手段は、前記スピットン鉢を上方から覆う形で前記スピットン鉢の上部に載置可能な形状であることを特徴とする請求項１乃至３の何れかに記載の歯科用スピットン。
【請求項５】
歯科治療椅子の近傍に配置され、患者が口内洗浄後のうがい水を吐き出すスピットン鉢に取付可能で、
前記スピットン鉢の側面において、前記スピットン鉢の周縁上端よりも上方の空間を、前記スピットン鉢の周縁の内外に区切る第１の位置と、前記スピットン鉢を上方から覆う形で前記スピットン鉢の上部に載置される第２の位置との間で移動可能に設けられることを特徴とするスピットン鉢用飛沫飛散防止板。
【考案の詳細な説明】
【技術分野】
【０００１】
本考案は、うがい水の飛沫飛散を防止する歯科用スピットン及びスピットン鉢用飛沫飛散防止板に関する。
【背景技術】
【０００２】
歯科用スピットンは、歯科医院の治療椅子の側方に設けられ、患者が口腔内を洗浄するためのうがい水の供給や、患者が口腔内洗浄後にうがい水を吐き捨てるために使用されている。患者がうがい水を吐き捨てる際、うがい水の飛沫が周囲に飛散し、治療時に患者の付近にいる歯科医師や歯科助士に付着することが考えられる。衛生的な観点からうがい水の飛沫飛散を防止することが求められており、例えば、特許文献１には、スピットン鉢の外周壁で、患者から見て後方の壁を高くすることで、うがい水の飛散を防止する技術が開示されている。
【先行技術文献】
【特許文献】
【０００３】
【特許文献１】特開２００７−１３０１３７号公報
【考案の概要】
【考案が解決しようとする課題】
【０００４】
しかし、特許文献１に記載の技術は、特にスピットン鉢の側方への飛沫飛散を防止できないため、歯科用スピットンを挟んで患者の側方にいることが多い歯科助士へのうがい水の飛沫付着の防止には適していない。
【０００５】
そこで、本考案の目的は、スピットンの側方にうがい水の飛沫が飛散することを防止すると共に、スピットン鉢の洗浄水の飛沫が周囲に飛散することも防止できる歯科用スピットン及びスピットン鉢用飛沫飛散防止板を提供することにある。
【課題を解決するための手段】
【０００６】
上記目的を達成するために、請求項１に記載の考案は、歯科治療椅子の近傍に配置され、患者が口内洗浄後のうがい水を吐き出すスピットン鉢を備える歯科用スピットンであって、スピットン鉢は、側面の所定位置に、スピットン鉢の周縁上端よりも上方の空間を、スピットン鉢の周縁の内外に区切る板状の飛沫飛散防止手段を備えることを特徴とする。
請求項２に記載の考案は、上記構成に加え、飛沫飛散防止手段は、スピットン鉢に対して取付手段を介して着脱可能に設けられることを特徴とする。
請求項３に記載の考案は、上記構成に加え、取付手段は、磁石であることを特徴とする。
請求項４に記載の考案は、上記構成に加え、飛沫飛散防止手段は、スピットン鉢を上方から覆う形でスピットン鉢の上部に載置可能な形状であることを特徴とする。
請求項５に記載の考案は、スピットン鉢用飛沫飛散防止板は、歯科治療椅子の近傍に配置され、患者が口内洗浄後のうがい水を吐き出すスピットン鉢に取付可能で、スピットン鉢の側面において、スピットン鉢の周縁上端よりも上方の空間を、スピットン鉢の周縁の内外に区切る第１の位置と、スピットン鉢を上方から覆う形でスピットン鉢の上部に載置される第２の位置との間で移動可能に設けられることを特徴とする。
【考案の効果】
【０００７】
請求項１及び５に記載の考案によれば、飛沫飛散防止手段を患者と歯科助士とを隔てる位置に配置することで、患者が吐き出したうがい水の飛沫が飛散し、歯科助士に付着することを防止できる。
請求項２，３及び４に記載の考案によれば、上記効果に加え、飛沫飛散防止手段をスピットン鉢に対して容易に着脱でき、スピットン鉢の洗浄時に、飛沫飛散防止手段をスピットン鉢の上部に載置することで、スピットン鉢の洗浄水の飛沫が周囲に飛散することも防止できる。
【図面の簡単な説明】
【０００８】
【図１】本考案の歯科用スピットンを示す説明図であって、（ａ）は飛沫飛散防止手段を取り付けた状態を示す斜視図、（ｂ）は飛沫飛散防止手段を取り外した状態を示す斜視図である。
【図２】飛沫飛散防止手段をスピットン鉢上に載置した状態を示す説明図であって、（ａ）は斜視図、（ｂ）は平面図である。
【考案を実施するための形態】
【０００９】
以下、本考案の実施例の形態を図面に基づいて説明する。
図１は、本考案の歯科用スピットンを示す説明図であって、（ａ）は飛沫飛散防止手段を取り付けた状態を示す斜視図、（ｂ）は飛沫飛散防止手段を取り外した状態を示す斜視図である。
図２は、飛沫飛散防止手段をスピットン鉢上に載置した状態を示す説明図であって、（ａ）は斜視図、（ｂ）は平面図である。
【００１０】
歯科用スピットン１は、歯科治療椅子（図示せず）の近傍に配置され、図１（ａ）に示すように、患者が口内洗浄のためのうがい水をコップに供給する供給ノズル２と、患者が口内洗浄を行った後のうがい水を吐き出すためのスピットン鉢３と、うがい水が吐き出された後のスピットン鉢３を洗浄するための洗浄水を吐出する洗浄ノズル４とを備える。また、スピットン鉢３は、患者とは反対側の側面、すなわち歯科助士が立っていることの多い側に、患者と歯科助士とを隔てるように、飛沫飛散防止手段としてのスピットン鉢用飛沫飛散防止板５（以下、飛沫飛散防止板５）が設けられている。
【００１１】
供給ノズル２は、供給ノズル２の先端部の下方に設けられたコップ置き６に図示しないコップを置くと、供給ノズル２の先端部からコップに向けてうがい水を一定量供給する。この時、コップを置いた際の供給ノズル２とコップ置き６との連動機構については限定されず、公知の技術を適用可能である。
【００１２】
飛沫飛散防止板５は、例えばプラスチック製の板状部材であって、図１（ａ），（ｂ）に示すように、スピットン鉢３の周縁上端よりも上方に向けて突出するホームベース形状に成形されている。これにより、飛沫飛散防止板５は、スピットン鉢３の周縁上端よりも上方の空間を、スピットン鉢３の周縁の内外に区切る。よって、患者が口内洗浄を行った後、うがい水をスピットン鉢３に吐き出す際に生じる飛沫が、スピットン鉢３から飛び出し、歯科助士の立っている側へ飛散しても、飛沫飛散防止板５によって飛散した飛沫を遮ることができる。
【００１３】
また、飛沫飛散防止板５は、図１（ｂ）に示すように、スピットン鉢３の飛沫飛散防止板５の取付位置（第１の位置）と、飛沫飛散防止板５の所定位置とに設けられた取付手段としての磁石７，７によって、スピットン鉢３に対して着脱可能に設けられる。このとき、飛沫飛散防止板５として軟性の材料を用いることで、第１の位置付近におけるスピットン鉢３の外形状に合わせて飛沫飛散防止板５を変形させてことができるため、取付安定性が向上する。
【００１４】
取り外された飛沫飛散防止板５は、図２（ａ），（ｂ）に示すように、スピットン鉢３を上方から覆う形でスピットン鉢３の上部（第２の位置）に載置可能な形状を有している。
飛沫飛散防止板５をスピットン鉢３の上部に載置する。このとき、洗浄ノズル４によるスピットン鉢３の洗浄を妨げることのないように、飛沫飛散防止板５は、洗浄ノズル４の下方に開口８が生じる位置に載置される。これにより、スピットン鉢３の洗浄のために洗浄ノズル４から吐出される洗浄水の飛沫が周囲に飛散することを防止できる。本効果は、例えば、感染性細菌等が飛沫に含まれていた場合に考えられる院内感染の防止にも繋がる。
なお、図１，２のように、洗浄ノズル４がスピットン鉢３の外部に配置されるのではなく、スピットン鉢３の内部に配置される場合は、飛沫飛散防止板５を上面視でスピットン鉢３全体を覆う位置に載置しても良い。
【００１５】
上記形態の歯科用スピットン１は、歯科治療椅子の近傍に配置され、患者が口内洗浄後のうがい水を吐き出すスピットン鉢３を備え、スピットン鉢３は、患者とは反対側の側面に、スピットン鉢３の周縁上端よりも上方の空間を、スピットン鉢３の周縁の内外に区切る飛沫飛散防止板５を備える。
よって、飛沫飛散防止板５を患者と歯科助士とを隔てる位置に配置することで、患者が吐き出したうがい水の飛沫が飛散し、歯科助士に付着することを防止できる。
【００１６】
また、飛沫飛散防止板５は、スピットン鉢３に対して磁石７，７を介して着脱可能に設けられる。
さらにまた、飛沫飛散防止板５は、スピットン鉢３を上方から覆う形でスピットン鉢３の上部に載置可能な形状である。
よって、飛沫飛散防止板５をスピットン鉢３に対して容易に着脱でき、スピットン鉢３の洗浄時に、飛沫飛散防止板５をスピットン鉢３の上部に載置することで、スピットン鉢３の洗浄水の飛沫が周囲に飛散することも防止できる。
【００１７】
以上は、本考案を図示例に基づいて説明したものであり、その技術範囲はこれに限定されるものではない。例えば、飛沫飛散防止手段は、公知の多様な形状の歯科用スピットンの何れにも適用可能である。
また、供給ノズル、洗浄ノズルが配置される位置は、歯科用スピットンとしての使用が可能な範囲で任意に設定できる。
また、飛沫飛散防止手段は、スピットン鉢に連結されていても良く、例えば、ヒンジ部を備えることで、患者と歯科助士とを隔てる位置と、スピットン鉢を上方から覆う位置との間で移動可能とする等しても良い。
また、飛沫飛散防止手段とスピットン鉢との取付手段は、磁石以外にも、例えば、スピットン鉢の側面に凸部を設けると共に、飛沫飛散防止手段に凸部が挿入される挿入穴を設けて凹凸の係止を利用する等しても良い。
また、飛沫飛散防止手段の材質、大きさ、形状及び取付位置は、スピットン鉢の側方に飛散する飛沫を遮る用途と、洗浄水がスピットン鉢の周囲に飛散することを防止する用途との両立ができれば、特に限定されない。
【符号の説明】
【００１８】
１・・歯科用スピットン、３・・スピットン鉢、５・・スピットン鉢用飛沫飛散防止板（飛沫飛散防止手段）、７・・磁石（取付手段）。
【図１】
0003233593.tif 000003
【図２】
0003233593.tif 000004